(57)【特許請求の範囲】
【請求項１】
建物のドアの錠を駆動することにより、施錠状態と解錠状態とを切り替える錠駆動部と、
前記錠駆動部を制御する制御部と、
前記ドアに対する操作を検知するセンサ部と、
前記センサ部の検知結果である検知操作が、特定操作であるか否かを判定する判定部とを備え、
前記制御部は、前記検知操作が前記特定操作であると前記判定部で判定された場合、前記錠駆動部を制御し、
前記特定操作は、前記ドアが備えるプッシュボタンスイッチを所定のパターンで押す操作である
ことを特徴とする電気錠装置。
【請求項２】
建物のドアの錠を駆動することにより、施錠状態と解錠状態とを切り替える錠駆動部と、
前記錠駆動部を制御する制御部と、
前記ドアに対する操作を検知するセンサ部と、
前記センサ部の検知結果である検知操作が、特定操作であるか否かを判定する判定部とを備え、
前記制御部は、前記検知操作が前記特定操作であると前記判定部で判定された場合、前記錠駆動部を制御し、
前記特定操作は、前記ドアに対する押し操作と引き操作とを所定の順序パターンで組み合わせた操作である
ことを特徴とする電気錠装置。
【請求項３】
建物のドアの錠を駆動することにより、施錠状態と解錠状態とを切り替える錠駆動部と、
前記錠駆動部を制御する制御部と、
前記ドアに対する操作を検知するセンサ部と、
前記センサ部の検知結果である検知操作が、特定操作であるか否かを判定する判定部とを備え、
前記制御部は、前記検知操作が前記特定操作であると前記判定部で判定された場合、前記錠駆動部を制御し、
前記特定操作には、解錠操作と施錠操作とが含まれ、
前記制御部は、
前記検知操作が前記解錠操作であると前記判定部で判定された場合、前記錠が解錠状態となるように前記錠駆動部を制御する解錠処理を行い、
前記検知操作が前記施錠操作であると前記判定部で判定された場合、前記錠が施錠状態となるように前記錠駆動部を制御する施錠処理を行い、
前記検知操作が前記特定操作でないと前記判定部で判定された回数をカウントするカウンタを更に備え、
前記カウンタのカウント数が閾値回数以上である場合、前記制御部は、前記解錠処理を行わない
ことを特徴とする電気錠装置。
【請求項４】
前記カウンタのカウント数が前記閾値回数以上になると、外部装置に通知を行う通知部を更に備える
ことを特徴とする請求項３に記載の電気錠装置。
【請求項５】
前記制御部は、前記建物の内側から前記解錠操作が行われた場合、前記カウンタのカウント数に関わらず前記解錠処理を行う
ことを特徴とする請求項３又は４に記載の電気錠装置。
【請求項６】
所定のイベントが発生したときにトリガを発生させるトリガ発生部を更に備え、
前記制御部は、前記トリガが発生したあとに、前記検知操作が前記特定操作であると前記判定部で判定された場合、前記錠駆動部を制御する
ことを特徴とする請求項１〜５のいずれか一項に記載の電気錠装置。
【請求項７】
前記制御部は、前記トリガが発生してから所定時間内に、前記検知操作が前記特定操作であると前記判定部で判定された場合、前記錠駆動部を制御する
ことを特徴とする請求項６に記載の電気錠装置。
【請求項８】
鍵装置と通信可能な通信部を更に備え、
前記制御部は、前記通信部が受信した前記鍵装置からの信号に基づいて前記錠駆動部を制御する
ことを特徴とする請求項１〜７のいずれか１項に記載の電気錠装置。
【発明の詳細な説明】
【技術分野】
【０００１】
本発明は、一般に電気錠装置、より詳細には建物のドアの施錠又は解錠を行う電気錠装置に関する。
【背景技術】
【０００２】
従来、住宅（建物）の玄関ドアに設けられた錠前（錠）を電動で施錠又は解錠する電気錠装置がある（例えば、特許文献１参照）。特許文献１に記載の電気錠装置は、検知部と、第１通信部と、錠前を駆動する駆動部と、制御部とを備えている。また、住宅の住人が錠前の施錠又は解錠を行うために使用する携帯機（鍵装置）は、メモリと、第２通信部とを備えている。鍵装置のメモリには、錠前を施錠又は解錠するために必要な認証情報が予め登録されている。電気錠装置の制御部のメモリには、鍵装置に割り当てられた認証情報が予め登録されている。
【０００３】
制御部は、第１通信部と第２通信部とが無線通信を行うことにより鍵装置から取得した認証情報とメモリに予め登録されている認証情報とを照合し、両者が一致する場合に解錠待ちの状態となる。そして、制御部は、解錠待ちの状態で検知部から検知信号が入力されると、駆動部を制御して錠を解錠させる。
【先行技術文献】
【特許文献】
【０００４】
【特許文献１】特開２０１６−３０８９４号公報
【発明の概要】
【発明が解決しようとする課題】
【０００５】
しかし、特許文献１に記載の電気錠装置は、鍵装置の故障、又は鍵装置との間での通信不良等が発生した場合、錠を施錠又は解錠することができなくなるおそれがあった。
【０００６】
本発明は、上記事由に鑑みてなされており、その目的は、鍵装置を使用せず錠の施錠又は解錠が可能な電気錠装置を提供することにある。
【課題を解決するための手段】
【０００７】
本発明の電気錠装置は、錠駆動部と、制御部と、センサ部と、判定部とを備える。前記錠駆動部は、建物のドアの錠を駆動することにより、施錠状態と解錠状態とを切り替える。前記制御部は、前記錠駆動部を制御する。前記センサ部は、前記ドアに対する操作を検知する。前記判定部は、前記センサ部の検知結果である検知操作が、特定操作であるか否かを判定する。前記制御部は、前記検知操作が前記特定操作であると前記判定部で判定された場合、前記錠駆動部を制御する。前記特定操作は、前記ドアが備えるプッシュボタンスイッチを所定のパターンで押す操作である。
本発明の別の態様に係る電気錠装置は、錠駆動部と、制御部と、センサ部と、判定部とを備える。前記錠駆動部は、建物のドアの錠を駆動することにより、施錠状態と解錠状態とを切り替える。前記制御部は、前記錠駆動部を制御する。前記センサ部は、前記ドアに対する操作を検知する。前記判定部は、前記センサ部の検知結果である検知操作が、特定操作であるか否かを判定する。前記制御部は、前記検知操作が前記特定操作であると前記判定部で判定された場合、前記錠駆動部を制御する。前記特定操作は、前記ドアに対する押し操作と引き操作とを所定の順序パターンで組み合わせた操作である。
本発明の更に別の態様に係る電気錠装置は、錠駆動部と、制御部と、センサ部と、判定部とを備える。前記錠駆動部は、建物のドアの錠を駆動することにより、施錠状態と解錠状態とを切り替える。前記制御部は、前記錠駆動部を制御する。前記センサ部は、前記ドアに対する操作を検知する。前記判定部は、前記センサ部の検知結果である検知操作が、特定操作であるか否かを判定する。前記制御部は、前記検知操作が前記特定操作であると前記判定部で判定された場合、前記錠駆動部を制御する。前記特定操作には、解錠操作と施錠操作とが含まれる。前記制御部は、前記検知操作が前記解錠操作であると前記判定部で判定された場合、前記錠が解錠状態となるように前記錠駆動部を制御する解錠処理を行い、前記検知操作が前記施錠操作であると前記判定部で判定された場合、前記錠が施錠状態となるように前記錠駆動部を制御する施錠処理を行う。前記電気錠装置は、前記検知操作が前記特定操作でないと前記判定部で判定された回数をカウントするカウンタを更に備える。前記カウンタのカウント数が閾値回数以上である場合、前記制御部は、前記解錠処理を行わない。
【発明の効果】
【０００８】
本発明の電気錠装置では、鍵装置を使用せず錠の施錠又は解錠が可能になるという効果がある。
【図面の簡単な説明】
【０００９】
【図１】図１は、本発明の一実施形態に係る電気錠装置のブロック図である。
【図２】図２は、同上の電気錠装置の使用例を示す概略図である。
【図３】図３は、同上の電気錠装置の動作例を示すフローチャートである。
【発明を実施するための形態】
【００１０】
以下、本発明の実施の形態を図面に基づいて説明する。
【００１１】
（実施形態）
＜概要＞
本実施形態に係る電気錠装置１のブロック図を図１、電気錠装置１の使用例を示す概略図を図２に示す。本実施形態に係る電気錠装置１は、建物４の出入り口に設けられたドア５（例えば、玄関扉、勝手口扉等）が有する錠５０の施錠又は解錠を電気的に行う装置である。本実施形態では、建物４が戸建住宅である場合を例として説明する。
【００１２】
本実施形態の電気錠装置１は、ユーザ６（住人）によるドア５に対する操作により、錠５０の施錠又は解錠を行うように構成されている。したがって、本実施形態の電気錠装置１は、鍵装置２を使用せず錠５０の施錠又は解錠が可能になる。
【００１３】
＜詳細＞
以下に、本実施形態の電気錠装置１の詳細について説明する。本実施形態の電気錠装置１は、センサ部１０、判定部１１、制御部１２、及び錠駆動部１３を備えており、ドア５に設けられている（図１、図２参照）。
【００１４】
センサ部１０は、ユーザ６によるドア５に対する操作を検知するように構成されている。本実施形態では、センサ部１０は、ドア５のドアハンドル５１に加えられる力の方向を検知することにより、ユーザ６がドアハンドル５１を介してドア５を押す押操作、及びユーザ６がドアハンドル５１を介してドア５を引く引操作を検知するように構成されている。
【００１５】
センサ部１０は、検知した操作の操作内容を表す検知信号を判定部１１に出力する。検知信号は、押操作、引操作それぞれに対応した振幅の波形を有する信号であり、センサ部１０が検知した操作（押操作、引操作）を示している。ここでいう「押操作」とは、ユーザ６がドアハンドル５１をドア５に向かって力を加える状態（押す状態）から、この力を解除したニュートラルな状態までの操作である。「引操作」とは、ユーザ６がドアハンドル５１を介してドア５と反対側に向かって力を加える状態（引く状態）から、この力を解除したニュートラルな状態までの操作である。センサ部１０は、ドアハンドル５１に力が加えられていないニュートラルな状態を、ドア５に対する操作（押操作、引操作）の区切りとする。すなわち、センサ部１０は、ニュートラルな状態とニュートラルな状態との間を、ドア５に対して行われた１つの操作（押操作、引操作）と判断する。したがって、押操作又は引操作が連続して複数回行われた場合でも、センサ部１０は、複数回の押操作又は引操作の各々を１回の操作として検知することができる。
【００１６】
ドア５は、屋内４１側と屋外４２側とで２つのドアハンドル５１を備えている。２つのドアハンドル５１を区別する場合、屋内４１側のドアハンドル５１をドアハンドル５１ａ、屋外４２側のドアハンドル５１をドアハンドル５１ｂという。センサ部１０は、屋内４１側からのドア５に対する操作と、屋外４２側からのドア５に対する操作とを区別して検知するように構成されている。具体的には、センサ部１０は、屋内４１側のドアハンドル５１ａに対して力が加えられた場合、屋内４１側からのドア５に対する操作と判断し、屋外４２側のドアハンドル５１ｂに対して力が加えられた場合、屋外４２側からのドア５に対する操作と判断する。
【００１７】
判定部１１、及び制御部１２は、本実施形態ではＣＰＵ（Central Processing Unit）及びメモリを主構成とするマイクロコンピュータにて構成されている。言い換えれば、判定部１１、及び制御部１２は、ＣＰＵ及びメモリを有するコンピュータにて実現されており、ＣＰＵがメモリに格納されているプログラムを実行することにより、コンピュータが判定部１１、及び制御部１２として機能する。プログラムは、ここではマイクロコンピュータのメモリに予め記録されているが、インターネット等の電気通信回線を通じて、又はメモリカード等の記録媒体に記録されて提供されてもよい。
【００１８】
判定部１１は、センサ部１０からの検知信号に基づいて、センサ部１０の検知結果である検知操作が特定操作であるか否かを判定する判定処理を行うように構成されている。特定操作とは、ドア５に対する押操作と引操作とを所定の順序パターンで組み合わせた操作である。順序パターンとは、押操作と引操作の順番を示しており、例えば「押操作→引操作→押操作→押操作→引操作・・・」等である。
【００１９】
判定部１１は、センサ部１０から出力される検知信号の波形に基づいて、検知操作（押操作、引操作）の順序パターンを抽出する。そして、判定部１１は、検知操作の順序パターンが、特定操作の順序パターンと一致しているか否かを判定することにより、検知操作が特定操作であるか否かを判定する。判定部１１は、検知操作の順序パターンが、特定操作の順序パターンと一致している場合、検知操作が特定操作であると判定する。また、判定部１１は、検知操作の順序パターンが、特定操作の順序パターンと不一致である場合、検知操作が特定操作とは異なる操作であると判定する。
【００２０】
本実施形態では、特定操作には、解錠操作と施錠操作とが含まれている。解錠操作と施錠操作とは、ドア５に対する押操作と引操作とを互いに異なる順序パターンで組み合わせた操作である。判定部１１は、判定処理において、検知操作が、特定操作の解錠操作であるか否か、及び特定操作の施錠操作であるか否かの判定を行う。すなわち、判定部１１は、判定処理において、センサ部１０が検知した操作（検知操作）が、「解錠操作」、「施錠操作」、「特定操作（解錠操作、施錠操作）とは異なる操作」、のいずれの操作であるかを判定する。
【００２１】
制御部１２は、判定部１１の判定結果に基づいて、錠駆動部１３を制御するように構成されている。錠駆動部１３は、ドア５に設けられた錠５０を電気的に駆動することにより、施錠状態と解錠状態とを切り替えるように構成されている。制御部１２は、判定部１１の判定結果が「解錠操作」である場合、錠５０が解錠状態となるように錠駆動部１３を制御する解錠処理を行う。制御部１２は、判定部１１の判定結果が「施錠操作」である場合、錠５０が施錠状態となるように錠駆動部１３を制御する施錠処理を行う。制御部１２は、判定部１１の判定結果が「特定操作とは異なる操作」である場合、錠駆動部１３を制御しない。
【００２２】
また、本実施形態の電気錠装置１は、トリガ発生部１４、カウンタ１５、及び通知部１６を更に備えている。
【００２３】
トリガ発生部１４は、所定のイベントが発生したときにトリガを発生させるように構成されている。本実施形態のトリガ発生部１４は、ユーザ６からの操作を受け付ける操作部１４１を備えており、操作部１４１が所定の操作を受け付けるという所定のイベントが発生したときにトリガを発生させる。本実施形態では、操作部１４１が、ドア５に設けられたプッシュボタンスイッチで構成されている。トリガ発生部１４は、ユーザ６によりプッシュボタンスイッチが押された（操作部１４１が所定の操作を受け付けた）ときに、トリガを発生させる。
【００２４】
判定部１１は、トリガ発生部１４がトリガを発生させると、検知操作が特定操作であるか否かの判定処理を行うように構成されている。より具体的には、判定部１１は、トリガ発生部１４がトリガを発生させてから所定時間（例えば１５秒、３０秒、１分等）の間、判定処理を行うように構成されている。
【００２５】
したがって、ユーザ６が操作部１４１を操作してから所定時間内に特定操作を行った場合、制御部１２が錠駆動部１３を制御し、錠５０が施錠又は解錠する。一方、操作部１４１が所定の操作を受け付けておらずトリガ発生部１４からトリガが発生していない場合、又はトリガが発生してから特定操作が行われないまま所定時間が経過した場合、判定部１１は、判定処理を行わない。したがって、このような場合、制御部１２は、錠駆動部１３を制御しないので、錠５０が施錠及び解錠されない。
【００２６】
カウンタ１５は、判定部１１の判定処理において、センサ部１０が検知した操作（検知操作）が特定操作ではない（特定操作とは異なる操作である）と判定された回数をカウントするように構成されている。カウンタ１５は、トリガ発生部１４がトリガを発生させてから所定時間内に、ドア５に対して特定操作が行われなかった操作ミスの回数（ミス回数）をカウントする。例えば、ユーザ６が操作部１４１に所定の操作を行ってから所定時間内にドア５に対して特定操作とは異なる操作を行った場合、カウンタ１５は、ミス回数をカウントアップする。また、カウンタ１５は、判定部１１の判定処理において、検知操作が特定操作（解錠操作、施錠操作）であると判定された場合、ミス回数のカウントをリセットする。すなわち、カウンタ１５は、トリガ発生部１４がトリガを発生させてから所定時間内に、ドア５に対して特定操作とは異なる操作が行われた操作ミスの連続回数をカウントするように構成されている。
【００２７】
トリガの発生から所定時間内において、ドア５に対する操作（押操作、引操作）が何も行われなかった場合、カウンタ１５は、ミス回数をカウントアップしないことが好ましい。すなわち、カウンタ１５は、トリガの発生から所定時間内において、ドア５に対して特定操作とは異なる操作が行われた場合にのみ、ミス回数をカウントアップする。また、カウンタ１５は、操作部１４１が所定操作を受け付けたがドア５に対する操作（押操作、引操作）がなかった場合、ミス回数のカウントアップを行わない。
【００２８】
判定部１１は、カウンタ１５のカウント数（ミス回数）と閾値回数（例えば、３回、５回、１０回等）とを比較する。そして、判定部１１は、カウンタ１５のカウント数が閾値回数以上である場合、所定のロック時間の間、判定処理を行わない（判定処理をロックする）。したがって、判定処理のロック中は、制御部１２による錠駆動部１３の制御が行われない。ロック時間が経過すると、判定部１１は、判定処理のロックを解除し判定処理が可能となる。
【００２９】
ロック時間は、カウンタ１５のカウント数に応じて延長されることが好ましい。例えば、閾値回数が３回であり、カウンタ１５のカウント数が３回になったときのロック時間が１分間であるとする。そして、カウンタ１５のカウント数が５回になったときのロック時間が１０分間、７回になったときのロック時間が３０分間、１０回になったときのロック時間が１時間というように、カウンタ１５のカウント数の増加に応じてロック時間が延長される。
【００３０】
また、判定部１１は、カウンタ１５のカウント数が閾値回数以上である場合、ロック時間の間、センサ部１０が検知した操作（検知操作）が解錠操作であるか否かの判定のみを行わないように構成されていることが好ましい。したがって、カウンタ１５のカウント数が閾値回数以上である場合、ユーザ６がドア５に対して解錠操作を行っても、解錠操作に対する判定処理がロックされているので制御部１２による解錠処理が行われない。また、判定部１１は、カウンタ１５のカウント数が閾値回数以上であっても、施錠操作に対する判定処理は行う。したがって、解錠操作に対する判定処理がロックされているときに、ユーザ６がドア５に対して施錠操作を行った場合、制御部１２は施錠処理を行い錠５０が施錠される。
【００３１】
さらに、判定部１１は、カウンタ１５のカウント数が閾値回数以上である場合、屋外４２側からのドア５に対する操作に対してのみ、判定処理を行わないように構成されていることが好ましい。したがって、カウンタ１５のカウント数が閾値回数以上である場合、ユーザ６が屋外４２側からドア５に対して解錠操作を行っても、解錠操作に対する判定処理がロックされているので制御部１２による解錠処理が行われない。また、判定部１１は、カウンタ１５のカウント数が閾値回数以上であっても、屋内４１側からのドア５に対する操作の判定処理は行う。したがって、屋外４２側からのドア５に対する操作の判定処理がロックされているときに、ユーザ６が屋内４１側からドア５に対して解錠操作を行った場合、制御部１２は解錠処理を行い錠５０が解錠される。
【００３２】
すなわち、本実施形態の判定部１１は、カウンタ１５のカウント数が閾値回数以上となった場合、ロック時間の間、屋外４２側からの解錠操作に対する判定処理のみをロックするように構成されている。これにより、カウンタ１５のカウント数が閾値回数以上となった場合、屋外４２側からの解錠操作のみが無効となる。また、屋外４２側からの解錠操作の無効中に、屋内４１側からドア５に対して特定操作が行われた場合、カウンタ１５のカウント数がリセットされ、判定部１１は、屋外４２側からの解錠操作に対する判定処理のロックを解除する。以降、「屋外４２側からの解錠操作に対する判定処理のロック」を、「屋外解錠操作のロック」と略して説明する場合がある。
【００３３】
通知部１６は、カウンタ１５のカウント数が閾値回数以上になると、外部装置３に通知を行うように構成されている。本実施形態では、通知部１６は、屋内４１に設けられた外部装置３と通信線を介して接続されており、カウンタ１５のカウント数が閾値回数以上となった場合、屋外解錠操作のロック中である旨を、外部装置３に通知するように構成されている。外部装置３は、例えば、表示部３１（例えば液晶モニタ）を備えた住宅情報盤である。通知部１６からの通知を受け取った外部装置３は、屋外解錠操作のロック中である旨を表示部３１に表示する。また、通知部１６は、屋外解錠操作のロックが解除された場合、屋外解錠操作のロックが解除された旨を外部装置３に通知することが好ましい。外部装置３は、住宅情報盤に限らず、他の装置（例えばスマートフォン、タブレット端末等の携帯端末等）であってもよい。また、通知部１６は、無線信号を外部装置３に送信することにより、屋外解錠操作のロック中である旨を外部装置３に通知するように構成されていてもよい。
【００３４】
また、電気錠装置１は、屋外解錠操作のロック中である旨を報知する報知部１７を備えていることが好ましい。報知部１７は、例えば、ＬＥＤ（Light Emitting Diode）の点灯、ブザーの鳴動等により、屋外解錠操作のロック中である旨をユーザ６に報知する。
【００３５】
また、本実施形態の電気錠装置１は、通信部１８、及び認証部１９を更に備えている。
【００３６】
通信部１８は、鍵装置２と通信可能に構成されている。鍵装置２は、例えば、タグ状の装置、ＩＣカード、スマートフォン等の汎用の情報端末等で構成されており、記憶部２１、通信部２２、及び制御部２３を備えている。記憶部２１は、鍵装置２に固有の鍵ＩＤ（Identification）が記憶されている。通信部２２は、電気錠装置１の通信部１８との間で無線通信により通信可能に構成されている。制御部２３は、通信部２２を制御するように構成されている。制御部２３は、記憶部２１に記憶された鍵ＩＤを含む信号（ＩＤ信号）を、通信部２２から電気錠装置１の通信部１８に送信させる。
【００３７】
認証部１９には、少なくとも１つの登録ＩＤが登録（記憶）されている。登録ＩＤは、鍵装置２の鍵ＩＤに対応している。例えば、建物４の複数の住人がそれぞれ個別の鍵装置２を所持するような場合、認証部１９には、これら複数台の鍵装置２の鍵ＩＤに対応する複数の登録ＩＤが登録される。認証部１９は、登録ＩＤと、通信部１８が受信したＩＤ信号に含まれる鍵ＩＤとを照合する認証処理を行う。制御部１２は、認証部１９による認証処理において鍵ＩＤの認証に成功した場合、鍵装置２からの信号に基づいて施錠処理、又は解錠処理を行う。
【００３８】
つまり、本実施形態の電気錠装置１は、鍵装置２からの信号に基づいて錠５０を施錠又は解錠が可能に構成されている。なお、鍵装置２を用いた錠５０の施錠又は解錠は、屋外解錠操作のロック中であっても可能である。
【００３９】
＜動作＞
本実施形態の電気錠装置１の動作について、図３を参照して説明する。図３は、電気錠装置１の動作例を示すフローチャートである。
【００４０】
まず、判定部１１は、トリガ発生部１４からトリガが発生したか否かを判断する（Ｓ１）。判定部１１は、トリガが発生したと判断した場合（Ｓ１：Ｙｅｓ）、トリガの発生から所定時間の間、センサ部１０が検知した操作（検知操作）が特定操作であるか否か、さらに特定操作が解錠操作であるか否かの判定処理を行う（Ｓ２、Ｓ３）。また、判定部１１は、トリガ発生部１４からトリガが発生していないと判断した場合（Ｓ１：Ｎｏ）、ステップＳ１のトリガが発生したか否かの判断処理を繰り返し行う。
【００４１】
判定部１１の判定結果が「解錠操作」である場合（Ｓ２：Ｙｅｓ、Ｓ３：Ｙｅｓ）、制御部１２は、解錠処理を行う（Ｓ４）。これにより、錠駆動部１３は、錠５０が解錠状態となるように錠５０を駆動する。また、判定部１１の判定結果が「施錠操作」である場合（Ｓ２：Ｙｅｓ、Ｓ３：Ｎｏ）、制御部１２は、施錠処理を行う（Ｓ５）。これにより、錠駆動部１３は、錠５０が施錠状態となるように錠５０を駆動する。
【００４２】
ステップＳ２の判定処理において、判定部１１の判定結果が「特定操作とは異なる操作」である場合（Ｓ２：Ｎｏ）、カウンタ１５は、ミス回数をカウントアップする（Ｓ６）。カウンタ１５のカウント数（ミス回数）が閾値回数以上である場合（Ｓ７：Ｙｅｓ）、判定部１１は、屋外４２側からの解錠操作に対する判定処理（屋外解錠操作）をロックする（Ｓ８）。通知部１６は、屋外解錠操作のロック中である旨を外部装置３に通知する（Ｓ９）。また、判定部１１は、屋外解錠操作をロックしてからの時間がロック時間を経過しているか否かを判断する（Ｓ１０）。判定部１１は、屋外解錠操作をロックしてからの時間がロック時間を経過した場合（Ｓ１０：Ｙｅｓ）、屋外解錠操作のロックを解除し（Ｓ１１）、ステップＳ１におけるトリガが発生したか否かの判断処理に戻る。また、判定部１１は、屋外解錠操作をロックしてからの時間がロック時間を経過していない場合（Ｓ１０：Ｎｏ）、屋外解錠操作のロックを継続し、ステップＳ１０の判断処理を繰り返し行う。
【００４３】
上述した電気錠装置１の動作は、一例であり、上記とは異なる動作も行う。例えば、電気錠装置１は、屋外解錠操作のロック中であっても、屋内４１側からドア５に対して解錠操作が行われた場合、錠５０を解錠する。
【００４４】
＜効果＞
上述したように、本実施形態の電気錠装置１は、錠駆動部１３と、制御部１２と、センサ部１０と、判定部１１とを備えている。錠駆動部１３は、建物４のドア５の錠５０を駆動することにより、施錠状態と解錠状態とを切り替える。制御部１２は、錠駆動部１３を制御する。センサ部１０は、ドア５に対する操作を検知する。判定部１１は、センサ部１０の検知結果である検知操作が、特定操作であるか否かを判定する。制御部１２は、検知操作が特定操作であると判定部１１で判定された場合、錠駆動部１３を制御する。
【００４５】
上記構成により、ユーザ６は、例えば鍵装置２の不携帯、鍵装置２の故障、電気錠装置１と鍵装置２との間で通信不良等が発生した場合であっても、ドア５に対して特定操作を行うことにより、錠５０の施錠又は解錠を行うことができる。すなわち、本実施形態の電気錠装置１は、鍵装置２を使用せず錠５０の施錠又は解錠が可能となり、利便性の向上を図ることが可能となる。また、電気錠装置１は、ユーザ６によるドア５に対する操作により錠５０の施錠又は解錠を行う構成であるので、例えば、錠５０の施錠又は解錠を行うための暗証番号の入力を受け付ける符号入力装置等を備える必要がなく、構成の簡略化を図ることが可能である。
【００４６】
また、本実施形態のように、特定操作は、ドア５に対する押操作と引操作とを所定の順序パターンで組み合わせた操作であることが好ましい。
【００４７】
上記構成により、電気錠装置１は、ドア５に設けられているドアハンドル５１を、ユーザ６が特定操作を行うための操作部として兼用することができ、構成の簡略化を図ることが可能となる。
【００４８】
また、本実施形態のように、電気錠装置１は、所定のイベントが発生したときにトリガを発生させるトリガ発生部１４を更に備えることが好ましい。制御部１２は、トリガが発生したあとに、検知操作が特定操作であると判定部１１で判定された場合、錠駆動部１３を制御することが好ましい。
【００４９】
上記構成により、電気錠装置１は、トリガが発生していない場合は制御部１２が錠駆動部１３を制御しないので、ユーザ６が意図せず錠５０が施錠又は解錠されることの抑制が可能となる。例えば、ユーザ６がドア５の開閉動作を行う際に、意図せず特定操作を行ってしまった場合でも、錠５０が施錠又は解錠することが抑制される。ただし、この構成は電気錠装置１に必須の構成ではなく、トリガ発生部１４は省略されていてもよい。
【００５０】
また、本実施形態のように、制御部１２は、トリガが発生してから所定時間内に、検知操作が特定操作であると判定部１１で判定された場合、錠駆動部１３を制御することが好ましい。
【００５１】
上記構成により、特定操作の操作入力に時間制限が設けられるので、電気錠装置１は、ユーザ６が意図せず錠５０が施錠又は解錠されることをより抑制することが可能となる。
【００５２】
また、本実施形態のように、特定操作には、解錠操作と施錠操作とが含まれていることが好ましい。制御部１２は、検知操作が解錠操作であると判定部１１で判定された場合、錠５０が解錠状態となるように錠駆動部１３を制御する解錠処理を行うことが好ましい。制御部１２は、検知操作が施錠操作であると判定部１１で判定された場合、錠５０が施錠状態となるように錠駆動部１３を制御する施錠処理を行うことが好ましい。
【００５３】
上記構成により、ユーザ６がドア５に対して解錠操作／施錠操作を行うことにより、錠５０を施錠又は解錠することができ、電気錠装置１は、利便性の向上を図ることが可能となる。ただし、この構成は電気錠装置１に必須の構成ではなく、特定操作は、解錠操作のみ、あるいは施錠操作のみであってもよい。
【００５４】
また、本実施形態のように、電気錠装置１は、検知操作が特定操作でないと判定部１１で判定された回数をカウントするカウンタ１５を更に備えることが好ましい。カウンタ１５のカウント数が閾値回数以上である場合、制御部１２は、解錠処理を行わないことが好ましい。
【００５５】
上記構成により、電気錠装置１は、セキュリティ性の向上を図ることが可能となる。例えば、不審者がドア５に対するランダムな操作で解錠を試みた場合、解錠処理がロックされるので、錠５０が不正に解錠される可能性が低減する。ただし、この構成は電気錠装置１に必須の構成ではなく、カウンタ１５は省略されていてもよい。
【００５６】
また、本実施形態のように、電気錠装置１は、カウンタ１５のカウント数が閾値回数以上になると、外部装置３に通知を行う通知部１６を更に備えることが好ましい。
【００５７】
上記構成により、電気錠装置１は、利便性の向上を図ることが可能となる。例えば、不審者がドア５に対してランダムな操作を行い解錠処理がロックされた場合、このことが外部装置３に通知されるので、住人は不審者が不正解錠を試みたことを認識することができる。ただし、この構成は電気錠装置１に必須の構成ではなく、通知部１６は省略されていてもよい。
【００５８】
また、本実施形態のように、制御部１２は、建物４の内側から解錠操作が行われた場合、カウンタ１５のカウント数に関わらず解錠処理を行うことが好ましい。
【００５９】
上記構成により、電気錠装置１は、利便性の向上を図ることが可能となる。例えば、ユーザ６がドア５に対する特定操作の操作ミスを繰り返すことによって解錠処理がロックされ、ユーザ６が建物４から閉め出された場合であっても、建物４内の住人が特定操作を行うことにより錠５０を解錠することができる。
【００６０】
また、本実施形態のように、電気錠装置１は、鍵装置２と通信可能な通信部１８を更に備えることが好ましい。制御部１２は、通信部１８が受信した鍵装置２からの信号に基づいて錠駆動部１３を制御することが好ましい。
【００６１】
上記構成により、ユーザ６は鍵装置２を用いて錠５０を施錠又は解錠することができるので、電気錠装置１は、利便性の向上を図ることが可能となる。
【００６２】
また、特定操作（解錠操作、施錠操作）の順序パターンは、固定のパターンではなく更新可能であることが好ましい。例えば、電気錠装置１は、屋内４１側から操作部１４１（プッシュボタンスイッチ）が長押しされると特定操作の登録モードとなり、ユーザ６がドア５に対して行った押操作、引操作の順序パターンが、特定操作の順序パターンとして登録される。すなわち、ユーザ６が任意の操作を特定操作として電気錠装置１に登録することができる。ここで、施錠操作は、解錠操作よりも容易な操作であってもよい。例えば、施錠操作における押操作と引操作の合計回数は、解錠操作における押操作と引操作の合計回数よりも少ない。施錠操作は、錠５０を施錠するための操作であるので、容易な操作であってもセキュリティ性の低下が抑制される。また、ユーザ６（住人）は、容易に錠５０を施錠することができるので、利便性の向上も図ることが可能となる。
【００６３】
＜変形例＞
以下に、本実施形態の電気錠装置１の変形例について説明する。
【００６４】
上述した例では、特定操作は、ドア５に対する押操作、引操作を所定の順序パターンで組み合わせた操作であるが、他の操作であってもよい。例えば、特定操作は、ドア５に対するノックの強弱、ノックのリズムを所定のパターンで行う操作であってもよい。また、特定操作は、ドア５が備えるプッシュボタンスイッチを所定のパターンで押す操作であってもよい。また、特定操作は、ドア５が備えるタッチパネルを所定のパターンでスワイプする操作であってもよい。
【００６５】
また、トリガ発生部１４は、プッシュボタンスイッチからなる操作部１４１を備えており、ユーザ６が操作部１４１（プッシュボタンスイッチ）を押すというイベントが発生したときにトリガを発生するように構成されているが、この構成に限らない。例えば、操作部１４１は、静電センサ、タッチパネル、符号入力装置等で構成されていてもよい。操作部１４１が静電センサで構成されている場合、トリガ発生部１４は、ユーザ６が静電センサに触れるというイベントが発生したときにトリガを発生する。操作部１４１がタッチパネルで構成されている場合、トリガ発生部１４は、ユーザ６がタッチパネルをスワイプするというイベントが発生したときにトリガを発生する。操作部１４１が符号入力装置で構成されている場合、トリガ発生部１４は、ユーザ６が符号入力装置に所定の暗証番号を入力するというイベントが発生したときにトリガを発生する。
【００６６】
また、トリガ発生部１４は、操作部１４１の代わりに照度センサを備えた構成であってもよい。ユーザ６が照度センサの受光部を覆い、一定時間の間、照度センサが検知した照度が低下するというイベントが発生したときに、トリガ発生部１４は、トリガを発生する。
【００６７】
また、本実施形態では、特定操作は、解錠操作と施錠操作との２つの操作を含んでいるが、これに限らず、例えば１つの操作のみであってもよい。この場合、ユーザ６がドア５に対して特定操作を行う度に、電気錠装置１は、錠５０の施錠状態と解錠状態とを切り替えるように構成される。
【００６８】
また、建物４は、戸建住宅に限らず、例えば集合住宅の各住戸等の戸建住宅以外の住宅、又は事務所や店舗、介護施設等の非住宅であってもよい。
【００６９】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００７０】
１  電気錠装置
１０  センサ部
１１  判定部
１２  制御部
１３  錠駆動部
１４  トリガ発生部
１５  カウンタ
１６  通知部
１８  通信部
２  鍵装置
３  外部装置
４  建物
５  ドア
５０  錠
【図１】
0006719081.tif 000002
【図２】
0006719081.tif 000003
【図３】
0006719081.tif 000004